(57)【要約】  本発明は、フィルム（９）、又は少なくとも幾つかの部分がフィルム（９）で作製されたパウチ（１）を識別する方法に関し、フィルム（９）又はパウチ（１）には、医療製品（３）が入っているか、又は医療製品（３）を保持するために提供又は準備される。開示されている方法は、フィルム片（５）を内側で、フィルム（９）に、又はフィルム（９）の上に接合するステップを含み、フィルム片（５）は、医療製品を識別するための情報を保持する。
2017528274.tif 000002
【特許請求の範囲】
【請求項１】
フィルム（９）、又は前記フィルム（９）を少なくとも部分的に有するバッグ（１）をマーキングする工程であって、前記フィルム（９）又は前記バッグ（１）は、医療製品（３）を有するか若しくは囲み、或いはこのような製品を取り込むために提供又は準備され、前記工程は、
１つ又は複数の接合工程を介して、前記フィルム（９）と、前記フィルム（９）内に、及び／又は前記フィルム（９）上にフィルム片（５）を結合するステップを含み、前記フィルム片（５）は、前記医療製品（３）をマーキングするための情報を保持する、工程。
【請求項２】
前記フィルム片（５）が、前記フィルム（９）に結合されず、前記フィルム片（５）自身にのみ結合される、請求項１に記載の工程。
【請求項３】
前記フィルム（９）が、その少なくとも一部において少なくとも２層で形成され、少なくとも１つの第１のフィルム層（９ａ）が、
前記フィルム片（５）の少なくとも１つの部分（５ａ）を、前記第１のフィルム層（９ａ）と、前記第２のフィルム層（９ｂ）との間に配置するステップと、
前記フィルム片（５）の前記少なくとも１つの部分（５ａ）を、前記１つ又は前記複数の接合工程によって、少なくとも前記第１のフィルム層（９ａ）、及び／又は前記第２のフィルム層（９ｂ）に結合するステップとを用いて、
前記第２のフィルム層（９ｂ）の上に、又は前記第２のフィルム層（９ｂ）に結合されている、或いは結合される、請求項１〜２のいずれか一項に記載の工程。
【請求項４】
前記フィルム片（５）が、前記フィルム（９）の少なくとも１つの外層又は外面（１３）に結合される、請求項１〜３のいずれか一項に記載の工程。
【請求項５】
前記フィルム（９）の１つの部分に通路開口（２７）を作製するステップと、
前記通路開口（２７）の両側に前記フィルム片（５）を配置するステップと、
前記通路開口（２７）を介して、前記フィルム片（５）を前記フィルム片（５）自身に結合するステップとを含む、
請求項１〜４の少なくとも一項に記載の工程。
【請求項６】
用いられる前記結合工程及び／又は前記接合工程が、融着、接着、パンチリベット、又はこれらの任意の組み合わせを含む、又はこれらからなる一群の接合工程から選択される、請求項１〜５のいずれか一項に記載の工程。
【請求項７】
フィルム（９）の内部又は下方に存在する医療製品（３）であって、少なくとも部分的に前記フィルム（９）からなるバッグ（１）を有するか、又は前記バッグ（１）内にある、少なくとも１つのフィルム片（５）が、１つ又は複数の接合工程によって、前記フィルム（９）に又は前記フィルム（９）上に結合されるか又は取り付けられ、前記フィルム片（５）が、前記医療製品（３）の前記マーキングの情報を保持する、医療製品（３）。
【請求項８】
前記フィルム片（５）が、前記フィルム（９）の少なくとも１つの外層又は外面（１３）に結合される、請求項７に記載の医療製品（３）。
【請求項９】
少なくとも１つの第１のフィルム層（９ａ）が第２のフィルム層（９ｂ）上に又は第２のフィルム層（９ｂ）と結合されることによって、前記フィルム（９）が、その少なくとも１つの部分において少なくとも２層で形成され、前記フィルム片（５）の少なくとも１つの部分（５ａ）が、前記第１のフィルム層（９ａ）と、前記第２のフィルム層（９ｂ）との間に配置され、前記フィルム片（５）の前記少なくとも１つの部分（５ａ）が、少なくとも前記第１のフィルム層（９ａ）及び／又は前記第２のフィルム層（９ｂ）に結合される、請求項７又は８のいずれか一項に記載の医療製品（３）。
【請求項１０】
前記フィルム片（５）が、前記フィルム（９）に結合されず、前記フィルム片（５）自身にのみ結合される、請求項７〜９のいずれか一項に記載の医療製品（３）。
【請求項１１】
前記フィルム（９）が、少なくとも１つの部分に、前記フィルム（９）が１つ又は複数の層で存在する、少なくとも１つの通路開口（２７）を有し、前記フィルム片（５）が、前記通路開口（２７）の両側に存在し、且つ前記フィルム片（５）が、前記通路開口（２７）を介して前記フィルム片（５）自身に結合される、請求項７〜１０のいずれか一項に記載の医療製品（３）。
【請求項１２】
用いられる前記結合工程及び／又は前記接合工程が、融着、接着、パンチリベット、又はこれらの任意の組み合わせを含む、又はこれらからなる一群の接合工程から選択される、請求項７〜１１のいずれか一項に記載の医療製品（３）。
【発明の詳細な説明】
【技術分野】
【０００１】
本発明は、フィルム内又はフィルムの下、或いはバッグ内にある医療製品をマーキングするための、請求項１に記載の工程に関する。また、請求項７に記載の、本発明によってマーキングされた医療製品に関する。
【背景技術】
【０００２】
フィルム又はバッグで包装されることが多い、医療用薬液、又は透析液等の医療製品は、例えば、目的外の使用、及び／又は製品の偽造を防止するために、特に法的要件に従ってマーキングされる。
【発明の概要】
【発明が解決しようとする課題】
【０００３】
本発明の目的は、フィルム内又はフィルムの下、或いはバッグ内に存在する医療製品をマーキングする、さらに進んだ工程を提供することである。
【０００４】
さらに、医療製品は、フィルム内又はバッグ内に適切にマーキングされて提供されるべきである。
【課題を解決するための手段】
【０００５】
本発明が解決しようとする課題は、請求項１の特徴を有する工程によって解決される。さらに、この課題は、請求項７の特徴を有する医療製品によって解決される。
【０００６】
本発明によれば、医療製品を含むフィルム又はバッグをマーキングする工程、又は医療製品を受ける工程が提案される。医療製品は、例えば、医療機器、又は医療消耗材であってもよい。
【０００７】
フィルム又はバッグは、医療製品を受ける、覆う、若しくはその他の方法で包装することが目的とされ、又はこれを行う。
【０００８】
この工程は、フィルム又はバッグの少なくとも１つの部分と、部分内で、部分上で、又は部分の上部で、好ましくは確動結合となるように、フィルム片を、好ましくはこの部分の外側又は表面、或いはフィルム片自身に結合するステップ（例えば、融着その他の接合を行うステップ）を含む。
【０００９】
フィルム片は、医療製品をマーキングするために、特に光学的に捕捉され得るような情報を保持するか、又はこのような情報を示す。
【００１０】
本発明による医療製品は、フィルムの内側若しくは下、又はバッグ内に存在する。この場合、少なくとも１つのフィルム片は、フィルム又はバッグと、或いはフィルム片自身とに結合される。フィルム片は、医療製品をマーキングするための情報を保持する。
【００１１】
本発明による実施形態は、当業者が技術的に不可能でないと認める限り、後述の特徴の幾つか、又は全てを任意の組み合わせで有することができる。本発明の好適な改善が、従属するクレームの各主題である。
【００１２】
以下の実施形態の全てにおいて、「〜することができる、〜してもよい、〜され得る、〜する場合がある（ｃａｎ  ｂｅ）」及び「有することができる、有し得る、有してもよい、有する場合がある（ｃａｎ  ｈａｖｅ）」等の表現の使用は、各々「好ましくは〜である、（ｉｓ  ｐｒｅｆｅｒａｂｌｙ）」及び「好ましくは〜を有する、（ｈａｓ  ｐｒｅｆｅｒａｂｌｙ）」等の同意語として理解されるべきであり、本発明による実施形態を示すことが目的とされている。
【００１３】
本明細書で数字が示される場合は常に、当業者によって、下限の記述であることが認められよう。当業者によって認められるように、これが矛盾に繋がらない限り、例えば、「１つ」と明示されているところでは、当業者は常に、「少なくとも１つ」とも読み取るであろう。本発明は、この理解を含むと同時に、「１つ」等の数字は、当業者によって認められるように技術的に不可能でない限り、代替的に「正確に１つの」を意味し得るという解釈を含む。この両方が本発明に含まれ、且つ本明細書で使用される全ての数値に有効である。
【００１４】
読みやすくするため、フィルムは主に以下のように記載される。フィルムはバッグの一部、例えば、その外層であってもよい。後述においてフィルムについて記載されるときは常に、当業者にとって不可能と認められない限り、これはバッグに対しても有効である。
【００１５】
本発明による幾つかの例示的実施形態では、結合は、融着、接着、パンチリベット、又はその他これらの任意の組み合わせである。
【００１６】
本発明による具体的な例示的実施形態では、用いられる接合工程は、融着、接着、パンチリベット、その他これらの任意の組み合わせを含む、又はこれらからなる、一群の接合工程から選択される。
【００１７】
本発明による幾つかの例示的実施形態では、医療消耗材は、透析に用いられる薬剤又は溶液である。
【００１８】
本発明による幾つかの例示的実施形態では、医療製品は、血液カセット、血液チューブセット、これらの部品等である。
【００１９】
本発明による幾つかの例示的実施形態では、バッグは、溶液バッグ、したがって溶液で満たされたバッグ又はバッグシェルである。溶液は、例えば、透析が目的とされていてもよい。
【００２０】
フィルム片は、任意の適切な形態を有してもよい。フィルム片は、帯、平面、部分等として設計されてもよい。
【００２１】
本発明による幾つかの例示的実施形態では、フィルム片は、例えば、フィルムのフィルム質部にのみ融着又は接着によって結合される又は結合されている。
【００２２】
この工程の本発明による幾つかの例示的実施形態では、フィルム片は、フィルムに結合されず又は結合されておらず、フィルム片自身にのみ結合される。したがって、フィルム片の第１の部分は、フィルム片の第２の部分に結合される。
【００２３】
この工程の本発明による幾つかの例示的実施形態では、フィルムは、その少なくとも１つの部分に２層設計を有する。この場合、少なくとも第１のフィルム層は、例えば、融着して第２のフィルム層に結合される又は結合されている。フィルム片の少なくとも１つの部分は、第１のフィルム層と第２のフィルム層との間にあり又は配置されており、且つ例えば、融着又は接着によって、少なくとも第１のフィルム層及び／又は第２のフィルム層に、例えば、これらの内面に結合されている。
【００２４】
本発明による幾つかの例示的実施形態では、フィルム片は、例えば、融着又は接着によって、フィルム、又は第１のフィルム層の少なくとも１つの外層、又は外面にある又は結合されている。
【００２５】
本発明による幾つかの例示的実施形態では、この工程は、単一層又は多層として存在するフィルム又はバッグの１つの部分に、パンチギャップ等の通路開口を生成するステップ、或いはこのような通路開口を有するフィルム又はバッグを提供するステップを含む。さらに、この工程は、通路開口の両側にフィルム片を配置するステップ、すなわちフィルムに沿った、フィルム片の通路開口の両側への付着、並びに通路開口を介して、フィルム片をフィルム片自身に、例えば、融着又は接着して、或いはパンチリベットで結合するステップを含む。
【００２６】
この製品の本発明による幾つかの例示的実施形態では、フィルムは、その少なくとも１つの部分において、少なくとも２層設計である。この場合、少なくとも１つの第１のフィルム層は、少なくとも第２のフィルム層に少なくとも部分ごとに置かれ、少なくとも部分ごとに、例えば、接着結合、融着結合、又は融着継目を介して結合される。本発明によるこの実施形態では、フィルム片の少なくとも１つの部分は、第１のフィルム層と第２のフィルム層との間に配置される。フィルム片の少なくとも１つの部分は、第１のフィルム層の少なくとも１つの部分、及び／又は第２のフィルム層の少なくとも１つの部分に結合される。
【００２７】
本発明による幾つかの例示的実施形態では、フィルム片は、フィルムには結合されず、フィルム片自身にのみ結合される。
【００２８】
この製品の本発明による幾つかの例示的実施形態では、フィルム又はバッグは、単一層又は多層で存在するその少なくとも１つの部分に、通路開口を有する。この場合、フィルム片は、通路開口の両側に存在し、通路開口を介してフィルム片自身に結合される。
【００２９】
「単一層」とは、本発明による幾つかの実施形態では、フィルム層を意味する場合があり、フィルム層は、正確に１つの内側及び正確に１つの外側とを有し、内側は医療製品と接触してもよく、外側は周囲又は大気と接触してもよい。
【００３０】
本発明による幾つかの例示的実施形態では、「２層」とは、２つのフィルム層を意味する場合があり、２つのフィルム層の各々は、正確に１つの内側及び正確に１つの外側とを有し、各々の内側は、医療製品と接触してもよく、且つ各々の外側は、周囲又は大気と接触してもよい。
【００３１】
本発明によれば、マーキングは、どのような方法で行われてもよいが、好ましい単なる例として、インクジェット、レーザー、熱転写、又はホットエンボス工程のうちの１つの方法で行われてもよい。
【００３２】
本発明によれば、コードは、例えば、バーコード、２Ｄコード、データマトリクスコード又はその他であってもよい。
【００３３】
バッグフィルムは、本発明による幾つかの実施形態では、透明である。このような実施形態では、フィルム片のみが、カラー又は黒で設計される。このカラー又は黒の設計には、背景と書き込み部分との間のコントラスト（例えば、白い背景に黒いコード）が増すことによって、読みやすさが向上するという利点があり、その結果、自動読み取りも確実に向上する。
【００３４】
本発明による幾つか又は全ての実施形態は、前述及び／又は後述の利点の１つ、複数、又は全てを有し得る。
【００３５】
本発明による、中に収容された医療製品の情報を含むフィルム、又はバッグをマーキングする工程の考えられる利点の１つは、コード、プレーンテキスト、又は記号の形態による、本発明に従うマーキングするステップが、様々なデータの提示を可能にし、したがって、バッチではなく単一製品としての製品のシリアライズ内のエラー及び苦情に関するより良いトレーサビリティが可能になる。また、好適には、詳細な工程の追跡、例えば、製造報告と関連付けることが可能である。
【００３６】
本発明による工程を用いることによって、好適には、このようなフィルム材料を、マーキングするための良好な色の付着、及び／又は良好な色表示に特に適した表面特性を有する、フィルム片として用いることが初めて可能になるが、このようなフィルムを医療製品を完全に包装するためのフィルムとして用いることはない。
【００３７】
マーキングを有するフィルム片は、好ましくは、適用環境、すなわち実験室外等での少なくとも使用中、又は通常の取り扱い時に、バッグのフィルムから破断的にのみ除去又は分離され得るような方法で、フィルム片がフィルムに結合されてもよい。医療製品の標識又はマーキングは、医療製品、或いはそのフィルム又はバッグにそれぞれしっかりと結合され、その後この状態を保つ必要があるため、このことは有利である。
【００３８】
さらに好適には、医療製品用のバッグのフィルムの色は、マーキングの色とは別に選択されてもよい。例えば、フィルムは白であってもよく、マーキング、又はマーキングの１つの構成要素も、背景として（白以外の）別の色を適切に選択すれば、白であってもよい。
【００３９】
一方でフィルムを個別に実装し、他方でマーキングを有するフィルム部分を別々に実装することにより、マーキングは、好適には容易に読み取られ、且つ検出され得る。必要なコントラストは、自由に選択されてもよい。例えば、医療製品の認可において、マーキングに一定の等級又は品質が必要とされる場合、これによって、例えば、一定の、又は十分なコントラスト（例えば、白と黒とのコントラスト）が得られるため特に好適である。
【００４０】
さらに、本発明による工程を用いることによって、好適には、レーザー処理による標識化又はマーキング（例えば、レーザー色転写マーキング）において、レーザー特性又はレーザー効果が変化しても、バッグのフィルムは無傷のままで、バリア性が損なわれないことが実現され得る。
【００４１】
例えば、医療製品を含むバッグを、製造且つ場合によっては充填して、フィルム部分をフィルムに結合する場所及び時間とは無関係に、マーキングを有するフィルム部分を付着することによって、更に好適には、充填されたバッグを製造するための製造ラインのタイミングとは無関係に、フィルム部分への印刷を行うことが可能になる。充填されたバッグへの印刷されたフィルム部分の結合は、接合工程又は結合工程のみによって、例えば、融着工程によって実施される。
【００４２】
幾つかの実施形態では、好適には、印刷されたフィルム部分を、接着、融着等による内部結合（図２）を介してフィルムに結合することによって、印刷されたフィルム部分が、バッグのフィルムの表面と直接結合することが防止され得る。これにより、好適には、フィルムに表面、外面、又は外層が用いられてもよく、これらは、結合性が不十分であるか、又は全く結合不能である一方、他方では他の良好な材料特性（例えば、ＳｉＯｘフィルム被覆等の高いバリア特性）を示す。
【００４３】
さらに、本発明による工程によって、幾つかの実施形態では、好適には、印刷可能なフィルム部分用の材料を選択して且つ使用することが可能になり、印刷可能なフィルム部分は、バッグ用のフィルムに結合又は融着できず、それ自身にのみ結合又は融着可能である。したがって、好適には、フィルム部分用の材料と、バッグのフィルム用の材料とは、互いに別々に選択されてもよい。
【００４４】
本発明による工程を用いることにより、好適には、バッグ固有の個別の標識化要件（連番付与）によって、バッグ内の医療製品に、医薬品偽造対策指令（ｆａｌｓｉｆｉｅｄ  ｍｅｄｉｃｉｎｅｓ  ｄｉｒｅｃｔｉｖｅ）２０１１／６２／ＥＵを適用することが最終的に可能になる。さらに、本発明による工程によって、第１のステップで標識化を実行するための様々なデータを生成し、且つこのデータを個別のラベルとして、医療製品を入れたバッグにしっかりと結合することが可能になる。
【００４５】
本発明による工程を通して達成可能な全ての利点は、本発明による製品の、本発明による幾つかの実施形態において、制限なく達成され得る。
【００４６】
後述において、本発明は、同封した図面を参照しながら、単に例示的な様式で説明される。
【図面の簡単な説明】
【００４７】
【図１】本発明による第１の実施形態における、フィルムを有する（フィルム）バッグ内に入っている医療製品の簡略化した断面図を示し、バッグは、医療製品をマーキングする情報を含むフィルム片を有する。
【図２】本発明による第２の実施形態における、医療製品のマーキングの情報を含むフィルム片を有する、図１のバッグを示す。
【図３】本発明による第３の実施形態における、医療製品のマーキングの情報を含むフィルム片を有する図１のバッグを示す。
【図４】フィルム片にマーキングを施すステップ、並びにその後でフィルム片をバッグに結合するステップを示す。
【図５】別の実施形態による、フィルム片にマーキングを施すステップ、並びにその後でフィルム片をバッグに結合するステップを示す。
【図６】さらに別の実施形態による、フィルム片にマーキングを施すステップ、並びにその後でフィルム片をバッグに結合するステップを示す。
【発明を実施するための形態】
【００４８】
以降の図は、本発明を一例において説明し、ここではフィルム片は、フィルムに融着される。この例は、単に例示的なものである。融着を含まない、若しくは融着を含むとは限らない他の結合工程、又は接合工程もまた本発明に含まれるが、繰り返しを避けるため図面には示されない。
【００４９】
図１は、バッグ１の一部を簡略化した断面図で示し、バッグは、医療製品３（ここでは、透析液又は透析溶液等の医療消耗材）、並びに医療製品３のマーキング７用の情報を含む、フィルム片５を囲んでいる。バッグ１は、フィルム９で作製されるか、これに相当し、又は少なくともフィルム９を有する。
【００５０】
例示的に、バッグ１は、外側フィルム１１によって囲まれるか、包装されるか、又は保護されており、したがって、周囲フィルム、保護フィルム、又は包装として説明されてもよい。外側フィルム１１は、図では単に概略的に示されている。外側フィルム１１は任意選択であり、且つ存在する場合は、バッグ１全体を囲むように配置されることが好ましい。
【００５１】
マーキング７は、異なる方法でフィルム片５に施されてもよい。例えば、フィルム片５は、インクで印刷されてもよい。これに加えて、又はこれに代えて、フィルム片５は、レーザー処理、又は接着によってマーキングされてもよい。
【００５２】
図１の単に例示的な第１の実施形態において、フィルム片５は、少なくとも１つの融着結合部又は融着点１５を介して、フィルム９の外面１３（或いは、図１の例にあるようにフィルム９が多層で配置される場合は、外層又は第１のフィルム層９ａ）に結合される。このため、フィルム片５の材料及びフィルム９の材料は、互いに融着可能なように選択される。フィルム片５が、融着結合によってフィルム９に結合されず、その代わりに、例えば、接着結合によって結合される、本発明による他の例示的な実施形態では、融着結合部又は融着点１５は、従って、接着結合部又は接着点等となる。
【００５３】
この目的のため、熱可塑性樹脂は特に適切なフィルム材料、及びフィルム片材料であり、これらは一般的に柔らかく、可塑的、展性的に流動性を持つようになり、且つ熱の影響下で融着可能なためである。ポリプロピレン（ＰＰ）、又はポリエチレン（ＰＥ）等の熱可塑性樹脂は、通常の接合工程、特に本明細書で述べる接合工程を用いて結合可能、例えば融着可能であり、同様にポリエチレンテレフタレート（ＰＥＴ）が用いられてもよい。
【００５４】
融着結合部１５の領域は、例えば、帯状、継目状、又はフラップ状（図１に描かれている平面に垂直に延びる帯／継目、又はフラップの長手方向の配置）であってもよい。
【００５５】
図１では右側に示すバッグ１の端部において、第１のフィルム層９ａのフィルム９は、第２のフィルム層９ｂに当接し、且つこの位置において、少なくとも部分的に第２のフィルム層９ｂに融着される。この融着は図１には示されておらず、且つフィルム片５が融着によってフィルム９に結合される融着点１５とは無関係である。
【００５６】
融着部１５は、図１の例では、具体的にはバッグ１の外縁、又は第１のフィルム層９ａが第２のフィルム層９ｂと重なり、両者が互いに融着される領域にある。第１のフィルム層９ａと第２のフィルム層９ｂとが互いに融着されるこの領域は、（バッグの内容物、すなわち医療製品３に向かって）融着部１５との関係において、更に内側に配置されてもよく、フィルム片５のフィルム９との融着部１５の領域で重なってもよく、或いは更に外側（図１では右側）に配置されてもよい。
【００５７】
図２は、図１のバッグ１、及び医療製品３のマーキング７の情報を保持するフィルム片５を示しているが、図１のものとは異なる方法でフィルム９に取り付けられている。
【００５８】
図１の第１の実施形態とは異なり、図２の第２の実施形態では、フィルム片５は、第１のフィルム層９ａの一部と、第２のフィルム層９ｂの一部との間の、少なくとも１つの部分５ａに配置される。
【００５９】
図２の例では、フィルム片９は、フィルム９の２つの内面、又は第１のフィルム層９ａの内面１７ａ及び第２のフィルム層９ｂの内面１７ｂとの各々に融着される。具体的には、フィルム片９は、融着領域１５で両側が融着される、つまり、その両方の外面（図２では、上面及び下面）が、２つの内面とそれぞれ融着され、２つの内面とは、図２の例では、フィルム９の互いに面している第１のフィルム層９ａの内面１７ａ、又は第２のフィルム層９ｂの内面１７ｂである。本発明による他の実施形態では、フィルム片は、その部分５ａで、内面１７ａ、１７ｂのうちの１つのみに融着される。
【００６０】
図３は、医療製品３を有する図１のバッグ、並びにフィルム９又はバッグの各々に対する、フィルム片５の別の配置、及び取り付けを示す。
【００６１】
図１及び図２とは異なり、図３では、フィルム片５は、バッグ１のフィルム９には融着されず、少なくとも１つの融着部１９で、フィルム片５自身に融着される。具体的には、融着部１９では、フィルム片５の一部は、フィルム片５の別の部分、好ましくはフィルム片５自身にのみ融着される。この目的のため、フィルム片５の材料は、フィルム片５自身に融着可能なことが理想的である。あるいは、フィルム片５は、フィルム片又はその被覆をそれぞれフィルム片自身と確実に融着できるようにするために、少なくともフィルム片のフィルム片自身との融着部１９の領域で、適切に被覆されるか、又は異なる材料、若しくは改質された材料を示してもよい。
【００６２】
フィルム片５のフィルム片５自身との融着は、図３の例では、バッグ１が、（図３では）その右側端部に通路開口を有することで可能になり、第１のフィルム層９ａと、第２のフィルム層９ｂとは互いに結合され、通路開口は、バッグ１の上面並びに下面を通過する。通路開口は、図６に関連する段落で説明されるように、図６に示す連続スロット２７であってもよい。通路開口として、スロット形状以外の形状、例えば円形、長方形等も可能であり、等しく本発明に含まれる。
【００６３】
通路開口によって、フィルム９を介して、フィルム片のフィルム片自身との融着を行うことができる。通路開口を介してフィルム片５を融着することにより、フィルム片５をフィルム９又はバッグ１に対して確実に結合し、これらの間に非確動的又は物質的に接着された結合を必要としない。好適には、これにより、一方でフィルム９用の材料を、他方でフィルム片５用の材料を選択することが可能になり、これらは、互いに融着可能でない、或いは特別な試みがなされたときのみ互いに融着可能である。
【００６４】
図４は、図１の実施形態による、フィルム片５にマーキング７を施すのに必要な、並びに後でフィルム片５をバッグ１のフィルム９に結合するのに必要な考えられるステップを示し、幾つかの実施形態では全てのステップを示す。
【００６５】
フィルム９の第１のフィルム層９ａと第２のフィルム層９ｂとが重なっている融着部又は融着継目２１の領域（バッグ１を密封するフィルム層９ａ、９ｂの融着部）は、縞模様になっている破線で示されている。
【００６６】
フィルム片５、又は第１のフィルム層９ａの、フィルム９との融着部１５の領域は、特に外側領域（図４では、フィルム９の右側端部）にある。
【００６７】
まず、第１のステップ２３では、フィルム片５にマーキング７が施される。これは、インク、又はレーザー標識工程を用いてフィルム片５に印刷することによって行われてもよい。その後、第２のステップ２５において、印刷されるか、又は異なる方法でマーキングされたフィルム片５が、フィルム９に融着される。フィルム片５は、フィルム９の全幅を覆わないことが好ましい。
【００６８】
なお、本発明によれば、ステップ２３及び２５は、本明細書で述べるものとは逆の順番で実施されてもよい。このことは、図５及び図６に関連して説明される実施形態にも当てはまる。
【００６９】
図５は、図２の実施形態による、図４と類似した、フィルム片５にマーキング７を施すため、並びに後でフィルム片５をバッグ１のフィルム９に融着するための考えられるステップ、及び必要に応じて全てのステップを示す。
【００７０】
フィルム片５の融着部１５の領域では、フィルム片５は、その部分５ａによってフィルム９の内面１７（図２を参照）に結合され、これは、図５では見ることができない。
【００７１】
図４とは異なり、フィルム片５は、フィルム９の右端を越え、少なくとも１つのフィルム層（ここでは、第１のフィルム層９ａ）の端を越えて突出している。
【００７２】
図６は、図３の実施形態による、図４と類似した、フィルム片５にマーキング７を施すため、並びに後でフィルム片５をバッグ１のフィルム９に結合するための考えられるステップ、及び必要に応じて全てのステップを示す。
【００７３】
好ましくは、図４及び図５とは異なり、図６のフィルム片５は、フィルム９に物質的に接着されず、また、必要に応じて、非確動的に結合されない、特に融着されないことが好ましい。さらに、フィルム片５の１つの部分は、フィルム片５の別の部分に、したがってフィルム片５自身に融着される。
【００７４】
フィルム片５の２つの部分が互いに融着されるように重ねるために、フィルム９は、通路開口等を有し、これは、作製が容易な連続スロット２７であることが好ましい。
【００７５】
通路開口、ここではスロット２７は、少なくともフィルム片５の幅と同じくらいの長さを有することが好ましい。これにより、フィルム片５は、融着を妨げる可能性がある力を受けたり、反ったりすることなく、通路開口を通過することができる。
【００７６】
図６の右側の図では、この連続スロット２７は、融着部の領域でマーキング７を保持するフィルム片５によって覆われて、見えなくなっている。
【００７７】
フィルム片５は、一体に形成されてもよい。また、２つ又は幾つかの部分で作製されてもよい。幾つかの部分で作製される場合は、第１の部分はフィルム９の上側の面、したがって第１のフィルム層９ａに配置され、第２の部分はフィルム９の下側の面、したがって第２のフィルム層９ｂに配置される。融着は、ここで説明されるように、通路開口を介して行われる。両方の部分が十分に大きい場合は、フィルム片５は全体として、通路開口又はフィルム９の内部に、それぞれ確動結合を形成する。
【符号の説明】
【００７８】
１  バッグ
３  医療製品
５  フィルム片
５ａ  フィルム片の一部
７  マーキング、マーキングの情報
９  フィルム
９ａ  第１のフィルム層
９ｂ  第２のフィルム層
１１  外側フィルム
１３  外面、フィルムの外層
１５  フィルム片のフィルムとの融着部
１７ａ  内面、第１のフィルム層９ａの内層
１７ｂ  内面、第２のフィルム層９ｂの内層
１９  フィルム片のフィルム片自身との融着部
２１  バッグを密封するためのフィルムの融着継目又は融着部
２３  フィルム片にマーキングを施す手順
２５  マーキングしたフィルム片をフィルムに加える手順
２７  連続スロット
【図１】
2017528274.tif 000003
【図２】
2017528274.tif 000004
【図３】
2017528274.tif 000005
【図４】
2017528274.tif 000006
【図５】
2017528274.tif 000007
【図６】
2017528274.tif 000008
【国際調査報告】
2017528274.tif 000009
2017528274.tif 000010
2017528274.tif 000011
2017528274.tif 000012
2017528274.tif 000013
2017528274.tif 000014